【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
ユーザ端末と、コンテンツサービスに係る特典情報を配布する配布装置とからなる特典配布システムであって、
前記配布装置は、
コンテンツサービスに係る特典情報を記憶している配布特典記憶手段と、
前記ユーザ端末より特典情報を要求する特典要求情報を受け取る要求受取手段と、
受け取った特典要求情報が示す要求が正当であるか否かを判断する判断手段と、
前記判断手段にて受け取った要求が正当であると判断される場合に、特典情報を読み出し、読み出した特典情報を前記ユーザ端末へ配布する配布手段とを備え、
前記ユーザ端末は、
特典要求情報を前記配布装置へ出力する要求出力手段と、
特典情報を前記配布装置より受け取る特典受取手段と、
受け取った特典情報を記憶する特典記憶手段と
を備えることを特徴とする特典配布システム。
【請求項２】
前記特典配布システムは、さらに、
映画データを含む映画コンテンツを記録しているパッケージ媒体を販売するパッケージ販売装置を含み、
前記ユーザ端末は、さらに、映画鑑賞のサービスの提供を受ける、映画鑑賞のサービスの提供を受けた、又は映画鑑賞のサービスの提供及び映画コンテンツを記録しているパッケージ媒体を購入する際にサービスの提供を受けることを示す電子チケットを記憶しており、
前記パッケージ販売装置は、
前記ユーザ端末より電子チケットを受け取るチケット受取手段と、
受け取った電子チケットの内容に応じて、パッケージ媒体の販売価格を決定する決定手段と
を備えることを特徴とする請求項１に記載の特典配布システム。
【請求項３】
前記ユーザ端末は、可搬型の特典記録媒体であって、
前記特典配布システムは、さらに、再生装置を含み、
前記再生装置は、
特典記録媒体より前記特典情報を読み出す特典読出手段と、
読み出した特典情報を再生する再生手段と
を備えることを特徴とする請求項１に記載の特典配布システム。
【請求項４】
前記特典配布システムは、さらに、管理装置を含み、
前記管理装置は、
特典情報の配布を受けた利用者に係る利用者情報を記憶する利用者情報記憶手段と、
前記配布装置より利用者情報を受け取り、受け取った利用者情報を前記利用者情報記憶手段へ書き込む利用者情報受取手段とを備え、
前記配布装置は、さらに、
利用者情報を生成し、生成した利用者情報を前記管理装置へ出力する利用者情報生成手段を
備えることを特徴とする請求項１に記載の特典配布システム。
【請求項５】
ユーザ端末へコンテンツサービスに係る特典情報を配布する配布装置であって、
コンテンツサービスに係る特典情報を記憶している配布特典記憶手段と、
前記ユーザ端末より特典情報を要求する特典要求情報を受け取る要求受取手段と、
受け取った特典要求情報が示す要求が正当であるか否かを判断する判断手段と、
前記判断手段にて受け取った要求が正当であると判断される場合に、特典情報を読み出し、読み出した特典情報を前記ユーザ端末へ配布する配布手段と
を備えることを特徴とする配布装置。
【請求項６】
前記特典情報は、映画に関連する映画特典であり、
前記特典要求情報は、映画鑑賞のサービスの提供を受ける電子チケットの購入を示すとともに、前記映画に関連する映画特典を要求する購入情報であり、
前記配布手段は、前記判断手段にて、受け取った購入情報が示す内容が正当であると判断される場合に、前記配布特典記憶手段より映画特典を読み出し、読み出した映画特典を前記ユーザ端末へ配布する
ことを特徴とする請求項５に記載の配布装置。
【請求項７】
前記配布装置は、さらに、
デジタル署名を施すための秘密鍵を記憶している秘密鍵記憶手段と、
前記秘密鍵を用いて、前記電子チケットを示すチケット情報にデジタル署名を施して、署名データを生成する署名データ生成手段とを備え、
前記配布手段は、さらに、生成した署名データを前記ユーザ端末へ配布する
ことを特徴とする請求項６に記載の配布装置。
【請求項８】
前記特典情報は、映画に関連する映画特典、及び映画データを含む映画コンテンツに関連するコンテンツ特典であり、
前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、
前記配布手段は、前記判断手段にて、受け取った購入情報が示す内容が正当であると判断される場合に、前記配布特典記憶手段より映画特典及びコンテンツ特典を読み出し、読み出した映画特典及びコンテンツ特典を前記ユーザ端末へ配布する
ことを特徴とする請求項５に記載の配布装置。
【請求項９】
前記ユーザ端末は、映画鑑賞のサービスの提供を受ける第１電子チケットを記憶している可搬型の特典記録媒体であり、
前記特典情報は、映画データを含む映画コンテンツに関連するコンテンツ特典であり、
前記要求受取手段は、利用者にて前記第１電子チケットが利用される場合に、前記特典要求情報として前記第１電子チケットを受け取り、前記第１電子チケットの受け取りは、特典情報の要求とみなされ、
前記配布装置は、さらに、
前記判断手段にて前記第１電子チケットが示す内容が正当であると判断される場合に、前記第１電子チケットを用いて、映画鑑賞のサービスを受けたことを示す第２電子チケットを生成し、前記特典記録媒体にて記憶している第１電子チケットを生成した第２電子チケットへと更新する生成手段を備え、
前記配布手段は、前記判断手段にて前記第１電子チケットが示す内容が正当であると判断される場合に、前記配布特典記憶手段よりコンテンツ特典を読み出し、読み出したコンテンツ特典を前記特典記録媒体へ配布する
ことを特徴とする請求項５に記載の配布装置。
【請求項１０】
前記第１電子チケットは、映画鑑賞のサービスの有効期限を含み、
前記配布装置は、さらに、
前記第１電子チケットに含まれる有効期限を用いて、当該第１電子チケットが有効期限内のものであるか否かを判断する期限判断手段を備え、
前記判断手段は、前記期限判断手段にて前記第１電子チケットが有効期限内のものであると判断される場合に、前記第１電子チケットが示す内容が正当であると判断する
ことを特徴とする請求項９に記載の配布装置。
【請求項１１】
前記特典記録媒体は、さらに、記憶している第１電子チケットにデジタル署名を施した署名データを記憶しており、
前記配布装置は、さらに、
署名データに対して、署名検証を行うための公開鍵を記憶している公開鍵記憶手段を備え、
前記要求受取手段は、さらに、署名データを受け取り、前記公開鍵を用いて、受け取った署名データの署名検証を行い、
前記判断手段は、前記要求受取手段による検証結果が肯定的なものである場合、及び前記期限判断手段にて前記第１電子チケットが有効期限内のものであると判断される場合に、前記第１電子チケットが示す内容が正当であると判断する
ことを特徴とする請求項１０に記載の配布装置。
【請求項１２】
前記配布装置は、さらに、
デジタル署名を施すための秘密鍵を記憶している秘密鍵記憶手段を備え、
前記生成手段は、さらに、前記秘密鍵を用いて、生成した第２電子チケットにデジタル署名を施して、署名データを生成し、生成した署名データを前記特典記録媒体へ出力する
ことを特徴とする請求項９に記載の配布装置。
【請求項１３】
前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、
前記要求受取手段は、前記特典要求情報として前記電子チケットを受け取り、電子チケットの受け取りは、特典情報の要求とみなされ、
前記配布手段は、前記判断手段にて、前記電子チケットが示す内容が正当であると判断される場合に、前記配布特典記憶手段より特典情報を読み出し、読み出した特典情報を前記特典記録媒体へ配布する
ことを特徴とする請求項５に記載の配布装置。
【請求項１４】
前記電子チケットが映画鑑賞のサービスの提供を受けることを示す場合には、前記特典情報は映画に関連する映画特典であり、前記電子チケットが映画鑑賞のサービスの提供を受けたことを示す場合には、前記特典情報は映画データを含む映画コンテンツに関連するコンテンツ特典であり、前記電子チケットが映画鑑賞のサービスの提供及び映画データを含む映画コンテンツを記録しているパッケージ媒体を購入する際にサービスの提供を受けることを示す場合には、前記特典情報は映画特典及びコンテンツ特典である
ことを特徴とする請求項１３に記載の配布装置。
【請求項１５】
前記配布装置は、特典情報の配布を受けた利用者に係る利用者情報を管理する管理装置と接続されており、
前記配布装置は、さらに、
利用者情報を生成し、生成した利用者情報を前記管理装置へ出力する利用者情報生成手段を
備えることを特徴とする請求項５に記載の配布装置。
【請求項１６】
映画データを含む映画コンテンツを記録しているパッケージ媒体を販売するパッケージ販売装置であって、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取手段と、
受け取った電子チケットの内容に応じて、パッケージ媒体の販売価格を決定する決定手段と
を備えることを特徴とするパッケージ販売装置。
【請求項１７】
前記パッケージ販売装置は、さらに、
前記電子チケットを有する利用者がパッケージ媒体を購入することにより付加される購入特典情報を記憶している購入特典記憶手段と、
パッケージ媒体の購入を示すパッケージ購入情報を前記ユーザ端末より受け取る購入情報受取手段と、
前記購入情報受取手段が、パッケージ購入情報を受け取った場合に、前記特典記憶手段より購入特典情報を読み出し、読み出した購入特典情報を前記ユーザ端末へ配布する特典配布手段と
を備えることを特徴とする請求項１６に記載のパッケージ販売装置。
【請求項１８】
前記パッケージ販売装置は、さらに、
前記電子チケットにデジタル署名を施した署名データに対して、署名検証を行うための公開鍵を記憶している公開鍵記憶手段を備え、
前記チケット受取手段は、さらに、署名データを取得し、
前記決定手段は、前記公開鍵を用いて、取得した署名データの署名検証を行い、署名検証により正当な電子チケットであると判断する場合に、受け取った電子チケットの内容に応じて、パッケージ媒体の販売価格を決定する
ことを特徴とする請求項１６に記載のパッケージ販売装置。
【請求項１９】
前記パッケージ販売装置は、購入特典情報の配布を受けた利用者に係る利用者情報を管理する管理装置と接続されており、
前記パッケージ販売装置は、さらに、
利用者情報を生成し、生成した利用者情報を前記管理装置へ出力する利用者情報生成手段を
備えることを特徴とする請求項１７に記載のパッケージ販売装置。
【請求項２０】
コンテンツサービスに係る特典情報を配布する配布装置と接続されるユーザ端末であって、
特典情報を要求する特典要求情報を前記配布装置へ出力する要求出力手段と、
前記配布装置にて前記特典要求情報が示す要求が正当であると判断される場合に、特典情報を前記配布装置より受け取る特典受取手段と、
受け取った特典情報を記憶する特典記憶手段と
を備えることを特徴とするユーザ端末。
【請求項２１】
前記特典記憶手段は、可搬型の特典記録媒体と、特典書込手段とからなり、
前記特典情報は、映画に関連する映画特典であり、
前記特典要求情報は、映画鑑賞のサービスの提供を受ける電子チケットの購入を示すとともに、前記映画に関連する映画特典を要求する購入情報であり、
前記特典受取手段は、前記配布装置にて前記購入情報が示す内容が正当であると判断される場合に、映画特典を前記配布装置より受け取り、
前記特典書込手段は、受け取った映画特典を前記特典記録媒体へ書き込む
ことを特徴とする請求項２０に記載のユーザ端末。
【請求項２２】
前記特典記憶手段は、可搬型の特典記録媒体と、特典書込手段とからなり、
前記特典情報は、映画に関連する映画特典、及び映画データを含む映画コンテンツに関連するコンテンツ特典であり、
前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、
前記特典受取手段は、前記配布装置にて前記購入情報が示す内容が正当であると判断される場合に、映画特典及びコンテンツ特典を前記配布装置より受け取り、
前記特典書込手段は、受け取った映画特典及びコンテンツ特典を前記特典記録媒体へ書き込む
ことを特徴とする請求項２０に記載のユーザ端末。
【請求項２３】
前記ユーザ端末は、映画鑑賞のサービスの提供を受ける電子チケットを記憶している可搬型の特典記録媒体であって、
前記特典情報は、映画データを含む映画コンテンツに関連するコンテンツ特典であり、
前記要求出力手段は、前記電子チケットが利用される場合に、前記電子チケットを前記配布装置へ出力し、前記電子チケットの出力は、特典情報の要求とみなされ、
前記特典受取手段は、前記配布装置にて前記電子チケットが示す内容が正当であると判断される場合に、コンテンツ特典を前記配布装置より受け取る
ことを特徴とする請求項２０のユーザ端末。
【請求項２４】
前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、
前記要求出力手段は、前記電子チケットを前記配布装置へ出力し、前記電子チケットの出力は、特典情報の要求とみなされ、
前記特典受取手段は、前記配布装置にて前記電子チケットが示す内容が正当であると判断される場合に、特典情報を前記配布装置より受け取る
ことを特徴とする請求項２０に記載のユーザ端末。
【請求項２５】
前記ユーザ端末は、さらに、
第１パスワードを記憶しているパスワード記憶手段と、
第２パスワードを受け取り、受け取った第２パスワードと前記第１パスワードとが一致するか否かを検証するパスワード検証手段と、
前記パスワード検証手段による検証結果が肯定的である場合に、当該ユーザ端末へのアクセスを許可する許可手段と
を備えることを特徴とする請求項２０に記載のユーザ端末。
【請求項２６】
前記ユーザ端末は、可搬型の特典記録媒体である
ことを特徴とする請求項２５に記載のユーザ端末。
【請求項２７】
コンテンツサービスに係る特典情報を記憶している可搬型の特典記録媒体が装着される再生装置であって、
装着された特典記録媒体より、特典情報を読み出す特典読出手段と、
読み出した特典情報を再生する再生手段と
を備えることを特徴とする再生装置。
【請求項２８】
前記特典情報は、映像音声データに係る第１情報であり、
前記再生装置は、さらに、
前記特典情報と対応付けられ、前記映像音声データに係る第２情報を記録しているパッケージ記録媒体より、第２情報を読み出すパッケージ読出手段を備え、
前記再生手段は、読み出した第１情報と第２情報とを合成して合成コンテンツを生成し、生成した合成コンテンツを再生する
ことを特徴とする請求項２７に記載の再生装置。
【請求項２９】
前記再生装置は、コンテンツサービスに係る特典情報を配布する配布装置とネットワーク接続され、
前記特典記録媒体は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶しており、
前記再生装置は、さらに、
前記特典記録媒体より電子チケットを取得し、取得した電子チケットを前記特典管理装置へ出力するチケット出力手段と、
前記配布装置にて前記電子チケットが示す内容が正当であると判断される場合に、前記配布装置より特典情報を受信し、受信した特典情報を前記特典記録媒体へ書き込む特典受信手段と
を備えることを特徴とする請求項２７に記載の再生装置。
【請求項３０】
ユーザ端末へコンテンツサービスに係る特典情報を配布する配布装置に用いられる配布方法であって、
前記配布装置は、
コンテンツサービスに係る特典情報を記憶している配布特典記憶手段を備え、
前記配布方法は、
前記ユーザ端末より特典情報を要求する特典要求情報を受け取る要求受取ステップと、
受け取った特典要求情報が示す要求が正当であるか否かを判断する判断ステップと、
前記判断手段にて受け取った要求が正当であると判断される場合に、特典情報を読み出し、読み出した特典情報を前記ユーザ端末へ配布する配布ステップと
を含むことを特徴とする配布方法。
【請求項３１】
ユーザ端末へコンテンツサービスに係る特典情報を配布する配布装置に用いられる配布プログラムであって、
前記配布装置は、
コンテンツサービスに係る特典情報を記憶している配布特典記憶手段を備え、
前記配布プログラムは、
前記ユーザ端末より特典情報を要求する特典要求情報を受け取る要求受取ステップと、
受け取った特典要求情報が示す要求が正当であるか否かを判断する判断ステップと、
前記判断手段にて受け取った要求が正当であると判断される場合に、特典情報を読み出し、読み出した特典情報を前記ユーザ端末へ配布する配布ステップと
を含むことを特徴とする配布プログラム。
【請求項３２】
映画データを含む映画コンテンツを記録しているパッケージ媒体を販売するパッケージ販売装置に用いられる価格決定方法であって、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取ステップと、
受け取った電子チケットの内容に応じて、パッケージ媒体の販売価格を決定する決定ステップと
を含むことを特徴とする価格決定方法。
【請求項３３】
映画データを含む映画コンテンツを記録しているパッケージ媒体を販売するパッケージ販売装置に用いられる価格決定プログラムであって、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取ステップと、
受け取った電子チケットの内容に応じて、パッケージ媒体の販売価格を決定する決定ステップと
を含むことを特徴とする価格決定プログラム。